(57)【要約】      （修正有）【課題】検知物体において追尾撮影対象を好適に設定し、物体が複数検知された状況にて好適に追尾撮影対象を設定する監視装置を提供する。【解決手段】監視システム１の監視装置２において、物体検知部５は、監視領域内で移動物体を検知し、当該移動物体の位置を含む検知結果を出力する。制御部７は、検知結果に基づいて撮像部６を制御する。種別判定手段７５は、検知結果に基づいて移動物体の種別を判定する。追尾撮影対象設定手段７６は、物体検知部５により移動物体が１つだけ検知された場合には当該移動物体をその種別によらず追尾撮影対象に設定し、一方、移動物体が複数検知された場合には種別ごとに予め設定された撮影優先度が高い移動物体を優先して追尾撮影対象に設定する。【選択図】図２
2019180025.tif 000002
【特許請求の範囲】
【請求項１】
監視領域の移動物体を追尾撮影する監視装置において、
前記監視領域内で前記移動物体を検知し、当該移動物体の位置を含む検知結果を出力する物体検知部と、
撮影方向を変更可能な撮像部と、
前記検知結果に基づいて前記撮像部を制御する制御部と、
前記検知結果に基づいて前記移動物体の種別を判定する種別判定手段と、
前記物体検知部により前記移動物体が１つだけ検知された場合には当該移動物体をその前記種別によらず追尾撮影対象に設定し、一方、前記移動物体が複数検知された場合には前記種別ごとに予め設定された撮影優先度が高い前記移動物体を優先して追尾撮影対象に設定する撮影対象設定手段と、
を備えることを特徴とする監視装置。
【請求項２】
前記撮影対象設定手段は、前記監視領域内にて新規に移動物体が検知されるごとに、複数検知された前記移動物体における追尾撮影対象を設定し直すこと、を特徴とする請求項１に記載の監視装置。
【請求項３】
前記撮影対象設定手段は、複数の前記移動物体について前記撮影優先度が同等である場合には、当該移動物体のうち現在移動している物体を前記追尾撮影対象に設定すること、を特徴とする請求項１又は請求項２に記載の監視装置。
【請求項４】
前記検知された移動物体ごとに、予め定めた特徴量を評価して追尾撮影の対象らしさを示す撮影対象可能性を求める評価手段を備え、
前記撮影対象設定手段は、複数の前記移動物体について前記撮影優先度が同等である場合には、当該移動物体のうち、前記撮影対象可能性が高い移動物体を優先して追尾撮影対象に設定すること、
を特徴とする請求項１から請求項３のいずれか１つに記載の監視装置。
【請求項５】
前記検知された移動物体ごとに、予め定めた特徴量に基づいて所定の発報条件を満たす侵入物体であるか否かを判定する判定手段を備え、
前記追尾撮影対象設定手段は、前記判定手段により前記侵入物体と判定された移動物体を前記撮影優先度によらず前記追尾撮影対象に設定し、前記侵入物体と判定されていない移動物体のみ存在する場合には、前記撮影優先度に応じて追尾撮影対象を設定すること、
を特徴とする請求項１から請求項４のいずれか１つに記載の監視装置。
【請求項６】
前記種別判定手段は、前記種別として人物と車両とを少なくとも判定し、
前記撮影対象設定手段は、前記車両の撮影優先度が前記人物の撮影優先度よりも高く設定されている場合であっても、前記追尾撮影対象に設定されている車両から所定範囲内で新規に人物を検知した場合には、当該人物に追尾撮影対象を切り替えること、
を特徴とする請求項１から請求項５のいずれか１つに記載の監視装置。
【発明の詳細な説明】
【技術分野】
【０００１】
本発明は、監視領域内を移動する物体の位置に応じて撮影方向を変え、物体を追尾撮影する監視装置に関する。
【背景技術】
【０００２】
従来、レーザセンサなどのエリアセンサ装置を用いて監視領域を走査することで移動物体を検知し、検知した物体の位置に応じてカメラの撮影方向を変え、物体を追尾撮影するシステムが知られている。
【０００３】
当該システムにおいてレーザセンサが複数の物体を検知したときの追尾撮影対象の決定方法として、最も新しく検知した物体を追尾撮影対象とする方法（下記特許文献１）や、重要物の最も近くに存在する物体を追尾撮影対象とする方法（下記特許文献２）が提案されている。
【先行技術文献】
【特許文献】
【０００４】
【特許文献１】特開２０１４−１７５８４４号公報
【特許文献２】特開２０１４−１７５８４３号公報
【発明の概要】
【発明が解決しようとする課題】
【０００５】
従来のシステムでは、検知した物体は追尾撮影対象とする物体であることを前提としている。しかし、レーザセンサは人物や車両など複数の種別の物体を検知し得る一方、監視目的等に応じて優先的に追尾撮影すべき物体の種別は異なり得る。例えば、人の通行状況を監視したい場合には種別が人物である物体を優先して撮影すべきである。したがって、検知物体の種別を考慮せずに追尾撮影対象を決定すると、優先して撮影すべき物体を撮影できなくなってしまうおそれがある。
【０００６】
本発明は上記問題点を解決するためになされたものであり、検知物体において追尾撮影対象を好適に設定すること、特に、物体が複数検知された状況にて好適に追尾撮影対象を設定する監視装置を提供することを目的とする。
【課題を解決するための手段】
【０００７】
（１）本発明に係る監視装置は、監視領域の移動物体を追尾撮影する装置であって、前記監視領域内で前記移動物体を検知し、当該移動物体の位置を含む検知結果を出力する物体検知部と、撮影方向を変更可能な撮像部と、前記検知結果に基づいて前記撮像部を制御する制御部と、前記検知結果に基づいて前記移動物体の種別を判定する種別判定手段と、前記物体検知部により前記移動物体が１つだけ検知された場合には当該移動物体をその前記種別によらず追尾撮影対象に設定し、一方、前記移動物体が複数検知された場合には前記種別ごとに予め設定された撮影優先度が高い前記移動物体を優先して追尾撮影対象に設定する撮影対象設定手段と、を備える。
【０００８】
（２）上記（１）に記載の監視装置において、前記撮影対象設定手段は、前記監視領域内にて新規に移動物体が検知されるごとに、複数検知された前記移動物体における追尾撮影対象を設定し直す構成とすることができる。
【０００９】
（３）上記（１）及び（２）に記載の監視装置において、前記撮影対象設定手段は、複数の前記移動物体について前記撮影優先度が同等である場合には、当該移動物体のうち現在移動している物体を前記追尾撮影対象に設定する構成とすることができる。
【００１０】
（４）上記（１）から（３）に記載の監視装置はさらに、前記検知された移動物体ごとに、予め定めた特徴量を評価して追尾撮影の対象らしさを示す撮影対象可能性を求める評価手段を備え、前記撮影対象設定手段は、複数の前記移動物体について前記撮影優先度が同等である場合には、当該移動物体のうち、前記撮影対象可能性が高い移動物体を優先して追尾撮影対象に設定する構成とすることができる。
【００１１】
（５）上記（１）から（４）に記載の監視装置はさらに、前記検知された移動物体ごとに、予め定めた特徴量に基づいて所定の発報条件を満たす侵入物体であるか否かを判定する判定手段を備え、前記追尾撮影対象設定手段は、前記判定手段により前記侵入物体と判定された移動物体を前記撮影優先度によらず前記追尾撮影対象に設定し、前記侵入物体と判定されていない移動物体のみ存在する場合には、前記撮影優先度に応じて追尾撮影対象を設定する構成とすることができる。
【００１２】
（６）上記（１）から（５）に記載の監視装置において、前記種別判定手段は、前記種別として人物と車両とを少なくとも判定し、前記撮影対象設定手段は、前記車両の撮影優先度が前記人物の撮影優先度よりも高く設定されている場合であっても、前記追尾撮影対象に設定されている車両から所定範囲内で新規に人物を検知した場合には、当該人物に追尾撮影対象を切り替える構成とすることができる。
【発明の効果】
【００１３】
本発明によれば、検知物体において追尾撮影対象を好適に設定すること、特に、物体が複数検知された状況にて好適に追尾撮影対象を設定することが可能となる。
【図面の簡単な説明】
【００１４】
【図１】本発明の実施形態に係る監視システムの概略の構成を示す模式図である。
【図２】本発明の実施形態に係る監視装置の概略の構成を示すブロック図である。
【図３】本発明の実施形態に係る監視装置の追尾撮影に関する制御の概略のフロー図である。
【図４】追尾撮影対象設定手段による処理例を説明する模式図である。
【図５】追尾撮影対象設定手段による処理例を説明する模式図である。
【発明を実施するための形態】
【００１５】
以下、本発明の実施の形態（以下実施形態という）として、本発明に係る監視装置を含んで構成される監視システム１について、図面に基づいて説明する。
【００１６】
図１は実施形態に係る監視システム１の概略の構成を示す模式図である。監視システム１は監視装置２と監視センタ３とを含んで構成される。監視装置２と監視センタ３とは通信可能に接続される。
【００１７】
監視装置２は、監視対象である監視領域４が設定される場所、建物等に設置され、監視領域４の移動物体（人物、車両など）を追尾撮影する。監視装置２は物体検知部５、撮像部６及び制御部７を含んで構成され、これらのうち少なくとも物体検知部５及び撮像部６は監視領域４を臨む位置に設置される。例えば、監視領域４は屋外に設定され、物体検知部５及び撮像部６は建物の外壁面や、監視領域４に隣接して立設されたポール等に設置される。一方、制御部７は監視領域４内の所定箇所や監視領域４の近傍などに設置され、例えば、ＬＡＮなどを介して物体検知部５及び撮像部６と接続される。制御部７は物体検知部５及び撮像部６に近接した場所に設置することもできるし、物体検知部５及び撮像部６は屋外に設置して制御部７は屋内に設置するというように、物体検知部５及び撮像部６から分離した位置に置くこともできる。また、制御部７の各機能は、物体検知部５や撮像部６に備えるようにしてもよい。
【００１８】
監視領域４は、例えば監視装置２を中心とした半径数十メートル〔ｍ〕（例えば２０ｍなど）の半円状に設定される。このように設定された監視領域４においては、汎用のカメラではカメラから離れた位置で検知した物体の解像度がそれほど高くなく物体の情報を十分に得られないため、適切にズーム制御をする必要が生じてくる。なお、監視領域はこの例に限定されるものではなく警備のプランニングにより適宜定められる。
【００１９】
物体検知部５は監視領域４内で移動物体を検知し、当該移動物体の位置を含む検知結果を出力する。また、物体検知部５は、監視領域４内で発生した異常事象（例えば監視領域４への不審な人物や車両などの侵入）を検知すると、制御部７に後述のトラッキング情報を送信する。
【００２０】
撮像部６は制御部７からのカメラ制御コマンドに従ってカメラ制御を行い、監視領域４に侵入した物体の動きを追いながら撮影する。
【００２１】
制御部７は当該物体のトラッキング情報に基づき、撮像部６への制御指示としてカメラ制御コマンドを生成する。
【００２２】
監視センタ３は警備会社などが運営する施設であり、通常、１又は複数のコンピュータで構成されるセンタ装置が設置されている。また、監視センタ３は、１又は複数の監視装置２とネットワークを介して接続される。監視センタ３では、センタ装置により例えば、各種機器を制御し、監視装置２から受信した異常信号を記録するとともに、異常の情報や撮像部６で撮像された撮影画像をディスプレイに表示し、監視員が監視領域を監視している。
【００２３】
図２は監視装置２の概略の構成を示すブロック図である。以下、図２に示す監視装置２の構成を説明する。
【００２４】
物体検知部５はエリアセンサ装置を含み、例えば、ビーム状の探査信号を用い所定の周期で監視領域４に対する空間走査を行い、光路上にある物体（人物、車両など）にて反射した反射光を受光することで、監視領域４内に存在する物体の位置を検出する。また、物体検知部５は複数時刻における位置の検知結果を用いて、物体の移動速度や移動方向を算出することができる。
【００２５】
物体検知部５は通信手段５１、記憶手段５２、検知手段５３、追跡手段５４、制御手段５５を備える。
【００２６】
通信手段５１は制御部７と接続され、制御部７から出力される警備開始信号及び警備解除信号を受信して制御手段５５に当該信号を入力する。また、通信手段５１は、検知手段５３にて監視領域４における移動物体の存在が判定されると、自己のアドレス情報を含む検出信号を制御部７に送信する。例えば、検出信号として、トラッキング情報が制御部７に送信される。
【００２７】
記憶手段５２はＨＤＤ（Hard Disk Drive）、ＲＯＭ（Read Only Memory）、ＲＡＭ（Random Access Memory）などで構成される記憶装置であり、各種設定情報や、物体検知部５を動作させるためのプログラムなどを記憶する。例えば、記憶手段５２には物体検知部５自身を特定するためのアドレス情報が記憶される。また、記憶手段５２には、物体検知部５にて監視すべき範囲として設定された監視領域４を示す監視領域情報と、検知手段５３にて生成された基準データと、検知手段５３にて取得された過去所定周期分の測定データ及び移動物体（侵入物体）のトラッキング情報とが記憶される。
【００２８】
ここで、基準データは、移動物体を追跡するトラッキング処理において、監視領域４に新規に出現した移動物体を抽出するために現在の測定データと比較されるデータである。具体的には、基準データは、検知手段５３による走査開始後から現在までの何れかの過去時点で取得された測定データから生成される。例えば、監視領域４に移動物体が存在しない状態における走査で取得された植栽や外壁などの既設物が基準データとして用いられる。基準データは例えば、角度（方向）に距離を対応付けたテーブルの形式で記憶することができる。
【００２９】
トラッキング情報は、監視領域４に新規に出現した移動物体を複数周期に渡り追跡するトラッキング処理に用いられる情報であり、移動物体の検知位置や大きさ、形状などからなる。また、トラッキング情報は評価手段７４が撮影対象可能性を求める際にも用いられる。トラッキング情報は、移動物体同士を区別する識別子（物体ＩＤ）と、移動物体（物体ＩＤ）ごとに当該物体が監視領域に初めて出現した位置、大きさ及び形状と、現在までの各周期における位置、大きさ及び形状とが時系列に対応づけられている。また、トラッキング情報には移動物体の種別情報（車両、人物等）や移動物体を最初に検知してからの経過時間（追跡時間）を対応付けてもよい。
【００３０】
検知手段５３は基本的に監視領域４を周期的に走査して、監視領域４に存在する物体を検知するとともに及び当該物体の位置を算出する手段である。本実施形態では検知手段５３はレーザセンサを用いて構成され、探査信号としてレーザ光を出射する。例えば、レーザセンサは、監視領域４における検知対象にレーザ光が照射されるように、レーザ光の出射方向が水平または一定の俯角を有するように設置される。
【００３１】
具体的には検知手段５３は、レーザセンサを中心として監視領域４を臨む水平方向の角度範囲に対して所定周期（例えば６０ミリ秒）で走査を繰り返す。検知手段５３による測距は、走査角度範囲内にて所定の角度ステップ（例えば０．２５゜）ごとに飛行時間法（ＴＯＦ法：Time of Flight）を用いて行われる。すなわち、レーザパルスの出射から受光までに要する時間を計測し、当該時間と光速度とからレーザを反射した物体までの距離が算定される。
【００３２】
検知手段５３による測定データは走査角（方位）と距離とで表され、レーザセンサを視点とした物体上のレーザ光反射点の位置が当該測定データで与えられる。具体的には、測定データは、レーザ光の送受信の角度（方向）と反射点までの距離とを対応付けた複数の測定点データの集まりからなる情報である。なお、所定時間内に反射光が返って来ない場合には、レーザ光の照射可能な距離内に物体がないと考えることができ、検知手段５３は距離として所定の擬似データ（例えば、監視領域４の外周までの距離値、レーザ光による有効測定距離以上の適当な値等）を設定する。
【００３３】
また、検知手段５３は、現在の測定データと基準データとを比較して監視領域４に出現した移動物体を検出する。具体的には、現在の測定データから得られる走査角度ごとの距離値と基準データに記憶された角度ごとの距離値との差分を、対応する角度ごとに算出して、距離値が変化した角度における現在の測定データの測定点を検出点とする。そして、検出点群のうち、同一の被測定物により距離値が変化したと考えられる近接する検出点を測距データとしてグループ化し、移動物体として検出する。また、移動物体の大きさとして、グループ化された検出点のうち両端点の角度と距離とから両端点間の実空間上での長さ、すなわち、現在における移動物体の幅を算出する。また、移動物体の形状として、グループ化された検出点における距離のばらつきにより、現在における移動物体の直線性を算出する。具体的には、距離のばらつきが大きくなるのは、物体表面に凹凸がある場合などであることから、距離のばらつきが大きい場合には直線性が低い形状とする。なお、移動物体の大きさや形状は、後述の評価手段７４において同様の方法を用いて算出してもよい。
【００３４】
なお、検知手段５３はレーザセンサに限定されず、超音波センサなど、物体の位置を検知可能な種々のセンサを用いて構成することができる。
【００３５】
追跡手段５４は、前回周期及び現周期で検出された移動物体間の対応付けを行ってトラッキング情報を生成・更新し、これを用いて移動物体を追跡する。当該対応付けは、距離と大きさなどにより行う。すなわち、両周期で検出された物体間の距離が閾値以内で、かつ大きさの変動が閾値以内である場合に、両周期における移動物体が同一の物体として対応付けられる。
【００３６】
制御手段５５はＣＰＵ（Central Processing Unit）、ＲＯＭ、ＲＡＭ等からなるマイクロコンピュータ及びその周辺回路で構成され、マイクロコンピュータが記憶手段５２からプログラムを読み出して実行することで物体検知部５を制御する。
【００３７】
制御手段５５は、通信手段５１を介して制御部７から警備開始信号が入力されると検知手段５３に駆動信号を出力し、検知手段５３の駆動を開始させる。これにより、検知手段５３におけるレーザ光の出射や、レーザ光の走査角を変化させる走査鏡の駆動などが開始される。一方、制御手段５５は、制御部７から警備解除信号が入力されると検知手段５３に駆動停止信号を出力し、その時点での走査が終了すると検知手段５３の駆動を停止させる。これにより、レーザ光の出射や走査鏡の駆動などが停止される。
【００３８】
撮像部６は、移動物体を追尾撮影するために撮影方向を変更可能である。また撮像部６は、監視装置２から距離が遠い物体などについて十分な解像度の物体像を得るために、ズーム制御が可能である。つまり、本実施形態の撮像部６はパン、チルト及びズーム（ＰＴＺ）の制御が可能なカメラ（ＰＴＺカメラ）を用いて構成され、物体検知部５で検知した移動物体のトラッキング情報に基づく制御部７の指示により、移動物体が画角内に収まるように、特に、画角中央にくるように、ＰＴＺ制御を行い移動物体を撮像する。なお、撮像部６のカメラは、上述のように物体検知部５のレーザセンサと共に監視領域４を臨む位置に設置される。ここで、撮像部６は物体検知部５と同じ位置に設置することもできるし、また、物体検知部５に対し上下方向にずれた位置や、その他、物体検知部５近傍の別の場所に設置されてもよい。
【００３９】
撮像部６はカメラ駆動手段６１、撮像手段６２、通信手段６３、記憶手段６４を備える。
【００４０】
カメラ駆動手段６１は、カメラの撮影方向（パン、チルト）を変化させる駆動機構、及びカメラのズームレンズを駆動し画角を変化させる駆動機構を含み、制御部７からの制御指示に基づいてそれら駆動機構を動作させ、パン、チルトの制御やズーム制御を行う。
【００４１】
撮像手段６２は例えば撮像素子を用いたカメラで構成され、監視領域や移動物体を撮影する。
【００４２】
通信手段６３は制御部７からのカメラ制御信号を受信する。また、通信手段６３は撮像手段６２による撮影画像を、制御部７を介して監視センタ３に送信する。
【００４３】
記憶手段６４はＨＤＤ、ＲＯＭ、ＲＡＭなどで構成される記憶装置であり、撮影画像を記憶する。また、記憶手段６４はカメラのホームポジション（移動物体を検知していないときの画角）を記憶する。
【００４４】
制御部７は物体検知部５及び撮像部６と通信可能に接続され、それらに制御信号を出力し、またそれらから検知信号や撮影画像が入力される。また、制御部７は遠隔の監視センタ３と通信可能に接続され、監視センタ３から監視装置２に対する制御信号を受信して動作したり、監視領域４に関し検知された異常信号や撮影画像を監視センタ３へ送信したりする。例えば、制御部７と監視センタ３との間の通信は、インターネット等の広域ネットワーク（ＷＡＮ）上に構築された仮想専用ネットワーク（ＶＰＮ）を介して行うことができる。
【００４５】
また、例えば、監視装置２に備えた操作部にて利用者が監視領域４の監視を開始又は解除するための操作を行ったり、監視センタ３から監視の開始又は解除の指示を受信したりすることにより、制御部７は監視領域４の監視状態を開始又は解除に設定し、警備開始信号又は警備解除信号を物体検知部５に送信する。
【００４６】
制御部７は通信手段７１、記憶手段７２、カメラ制御手段７３、評価手段７４、種別判定手段７５及び追尾撮影対象設定手段７６を含んで構成される。制御部７はＣＰＵ、ＲＯＭ、ＲＡＭ等からなるマイクロコンピュータ及びその周辺回路で構成され、マイクロコンピュータが記憶手段７２からプログラムを読み出して実行することで記憶手段７２、カメラ制御手段７３、評価手段７４、種別判定手段７５、追尾撮影対象設定手段７６などとして機能する。
【００４７】
通信手段７１は、監視装置２内における物体検知部５及び撮像部６と制御部７との間の通信、並びに監視センタ３との通信を行う。例えば、通信手段７１は、物体検知部５へ警備開始信号又は警備解除信号を送信する。また、監視センタ３に対しては、監視領域４に関し異常が検知された際に生成される異常信号や、撮影画像を送信する。
【００４８】
記憶手段７２はＨＤＤ、ＲＯＭ、ＲＡＭなどで構成される記憶装置であり、各種設定情報や、制御部７を動作させるためのプログラムなどを記憶する。例えば、記憶手段７２は物体のトラッキング情報を蓄積する。また、物体検知部５と撮像部６との相対位置も記憶手段７２に予め記憶される。
【００４９】
カメラ制御手段７３は物体のトラッキング情報から得られる検知位置や移動速度に基づいて、撮像部６に制御指示（ＰＴＺの制御量やその速度）を与える信号を生成する。撮影方向（パン、チルト）の制御では、物体が画角の中央に写るようにし、ズーム制御では所定の大きさで物体が写るようにすることが好ましい。ズーム制御は検知物体の位置（物体までの距離）に基づいて行い、基本的に、撮像部６から物体までの距離が遠いほどズーム倍率を上げてズームインするように制御し、一方、当該距離が近いほどズーム倍率を下げてズームアウトするように制御する。さらに、ズーム制御においては物体の移動速度も考慮することが好ましい。具体的には、高速の物体ほどズームアウトして撮影する。
【００５０】
評価手段７４は、物体検知部５で検知された移動物体ごとに、その予め定めた特徴量を評価して追尾撮影の対象らしさを示す撮影対象可能性を求める。撮影対象可能性は、「０〜１００％」のように数値で定義してもよいし、「高・中・低」のようなレベル、段階で定義してもよい。この評価は、新規に移動物体を検知したときや所定時間ごとに行うことができる。
【００５１】
本実施形態では、人物や車両が追尾撮影の対象であり、評価する特徴量として移動物体の大きさや形状等の指標を用いて、移動物体が人物あるいは車両である確からしさ（人らしさ、車らしさ）を示す撮影対象可能性を求める。
【００５２】
評価手段７４は、記憶手段７２に記憶されたトラッキング情報を参照し、評価対象の移動物体についてその大きさや形状を取得し、人物や車両が一般的に有する特徴と比較する。例えば、人物を示す測距データには、物体の幅が所定範囲内（例えば２０ｃｍ〜１００ｃｍ）、物体表面に凹凸があり直線性が低い（距離のばらつきが所定以上ある）、といった特徴があり、評価手段７４は、移動物体の幅や形状が人物の特徴に合致するほど撮影対象可能性（人らしさ）を高く評価する。また、車両を示す測距データには、物体の幅が所定範囲内（例えば１ｍ〜５ｍ）、物体表面に直線性が高く、２つの直線が直交している、といった特徴があり、評価手段７４は、移動物体の幅や形状が車両の特徴に合致するほど撮影対象可能性（車らしさ）を高く評価する。
【００５３】
なお、評価する特徴量として移動速度を用いてもよい。この場合、評価手段７４は、トラッキング情報に含まれる移動履歴から移動物体の移動速度を算出し、移動速度が人物や車両の特徴に合致するほど撮影対象可能性を高く評価する。例えば、人物を追尾撮影対象とする場合は、移動速度が時速１０ｋｍ以下に近いほど撮影対象可能性が高くなるように評価し、車両を追尾撮影対象とする場合には、移動速度が時速３０〜６０ｋｍに近いほど撮影対象可能性が高くなるように評価する。
【００５４】
種別判定手段７５は、物体検知部５の検知結果に基づいて移動物体の種別を判定する。本実施形態では種別判定手段７５は、検知物体の種別として、車両と人物とを少なくとも判定する。種別判定手段７５は検知物体の大きさ、形状、移動速度等を上述した人物や車両が一般的に有する特徴と比較して種別を判定する。例えば、検知物体が所定（例えば１ｍ）以上の大きさ、及び直角を含む形状を有し、かつ移動速度が所定（例えば時速３０ｋｍ）以上であれば、当該検知物体の種別を車と判定することができる。また、検知物体が所定範囲内（例えば２０ｃｍ〜１００ｃｍ）の大きさで、直線性が低い形状であれば、当該検知物体の種別を人と判定することができる。また、上述の人らしさや車らしさの撮影対象可能性が所定値（例えば「５０％」、「中」）以上であることをもって、移動物体の種別を判定してもよい。
【００５５】
種別判定手段７５が判定する種別に関しては、移動物体を追尾撮影対象として設定する際の優先度（撮影優先度）が予め定められる。つまり、撮影優先度は種別ごとに設定され、基本的に、種別間に優劣を設定する。例えば、人物の撮影優先度「高」、車両の撮影優先度「中」、その他物体の撮影優先度「低」のように設定できる。監視領域における人物の通行状況を監視したい場合には、このように人物の撮影優先度を高く設定することで、人物以外の物体（車両など）を検知した場合であっても、人物を追尾撮影することが可能になる。なお、各種別に対応付けられる撮影優先度は例えば、記憶手段７２に予め記憶される。なお、撮影優先度は、時間帯や移動物体の検知状況等に応じて切り替えてもよい。例えば、昼の時間帯は車の撮影優先度「高」、人物の撮影優先度「中」とし、夜の時間帯は人物の撮影優先度「高」、車の撮影優先度「中」に設定する。
【００５６】
追尾撮影対象設定手段７６は本発明の撮影対象設定手段であり、検知物体の種別に関する撮影優先度に基づいて追尾撮影対象にする物体を設定する。追尾撮影対象設定手段７６は、物体検知部５により移動物体が１つだけ検知された場合には当該移動物体をその種別によらず追尾撮影対象に設定し、一方、移動物体が複数検知された場合には種別ごとに予め設定された撮影優先度が高い移動物体を優先して追尾撮影対象に設定する。例えば、複数の移動物体のうち種別に関する撮影優先度が最も高いものを追尾撮影対象に設定することができる。
【００５７】
また、追尾撮影対象設定手段７６は、種別に関する撮影優先度と他の判断基準とを組み合わせて追尾撮影対象を設定することもできる。例えば、種別に関する撮影優先度が最も高い移動物体が複数存在する場合には、他の判断基準によりそれら複数の移動物体のうちから追尾撮影対象を選択することができる。
【００５８】
例えば、追尾撮影対象設定手段７６は、複数の移動物体が同一種別である場合には、当該移動物体のうち現在移動している物体を追尾撮影対象に設定する構成（「移動優先」と呼ぶことにする。）とすることができる。ちなみに、トラッキング情報により、物体が現在移動しているか静止しているかを判断することができる。
【００５９】
また、撮影優先度だけではなく評価手段７４が求める撮影対象可能性を考慮に入れて追尾撮影対象を選択することができる。例えば、複数の移動物体について撮影優先度が同等である場合に、撮影対象可能性が高い物体を追尾撮影対象に設定することができる。なお、撮影対象可能性も同等である場合には、移動優先により追尾撮影対象に設定してもよい。また、撮影優先度が高い物体であっても、撮影対象可能性が所定値以下（例えば、「３０％以下」、「低」等）の場合には、追尾撮影対象に設定しない構成とすることもできる。
【００６０】
また、それら複数の移動物体のうち最も新しく、又は古く検知した物体を優先して追尾撮影対象に設定することもできる。なお、最も新しく検知した移動物体を優先することを「後優先」、最も古く検知した移動物体を優先することを「先優先」と呼ぶことにする。
【００６１】
また、移動物体の検知状況に応じて、撮影優先度を切り替えて、追尾撮影対象を設定するようにしてもよい。例えば、車両の撮影優先度が人物の撮影優先度よりも高く設定されている場合において、追尾撮影対象設定手段７６は、トラッキング情報に基づいて追尾撮影対象に設定されている車両が静止したと判定され、当該車両の検知位置から所定範囲（例えば１ｍ）内で新規に人物が検知された状況では、所定期間は人物優先モードとして、人物の撮影優先度を車両の撮影優先度よりも高くしてもよい。また、所定期間は撮影優先度にかかわらず当該人物に追尾撮影対象を切り替える構成とすることもできる。ここで、所定期間とは、一定時間（例えば、３０秒）や、静止車両が移動するまでの期間、新規に車両が検知されるまでの期間、当該人物が検知されなくなるまでの期間等のいずれかにより定められる。これにより、車両から人物が降車した状況において、静止車両を継続して撮影することなく、車両から降車した人物を優先して追尾撮影することが可能となる。また、人物に追尾撮影対象を切り替える場合には、人物が移動していることを条件とすることが好ましい。
【００６２】
なお、追尾撮影対象設定手段７６は、種別判定手段７５が種別を判別するタイミングに同期して追尾撮影対象の設定処理を行うことができ、例えば、監視領域内にて新規に移動物体が検知されるごとに、複数検知された移動物体における追尾撮影対象を設定し直す。
【００６３】
図３は監視装置２の追尾撮影に関する制御の概略のフロー図である。物体検知部５において移動物体が検知されると、監視装置２は追尾撮影に関する制御を開始し（ステップＳ１）、種別判定手段７５が当該移動物体のトラッキング情報（大きさ、形状、移動速度など）に基づいて当該移動物体の種別を判定する（ステップＳ２）。追尾撮影対象設定手段７６は、物体検知部５で検知している物体が複数存在する場合には（ステップＳ３にて「Ｙｅｓ」の場合）、当該複数の物体の撮影優先度に基づいて追尾撮影対象を設定する（ステップＳ４）。具体的には、最も撮影優先度が高い物体を追尾撮影対象に設定する。一方、物体検知部５で検知している物体が１つである場合には（ステップＳ３にて「Ｎｏ」の場合）、当該物体を追尾撮影対象に設定する（ステップＳ５）。このようにして、物体検知部５で検知している物体のうち追尾撮影対象とするものが設定されると、カメラ制御手段７３は、追尾撮影対象に設定された物体の検知位置等に基づき、撮像部６に対してＰＴＺ制御を含む制御指示を行い、撮像部６がカメラをＰＴＺ制御して物体を追尾撮影する（ステップＳ６）。
【００６４】
図４及び図５は追尾撮影対象設定手段７６による処理例を説明する模式図である。ここでは人物と車両を追尾撮影の対象とし、種別判定手段７５は検知物体において種別として人と車を判定する。ここでは、撮影優先度は「人」より「車」が高く設定されているとする。
【００６５】
図４は検知物体の物体ＩＤと種別とを対応付けて表形式で示している。図４（ａ）は検知されている移動物体が１つだけである場合である。検知物体「ＩＤ１」の種別は「人」であり、「車」よりも撮影優先度が低いが、追尾撮影対象設定手段７６は物体「ＩＤ１」を追尾撮影対象に設定する。
【００６６】
図４（ｂ），（ｃ）は移動物体が３つ検知されている場合である。このように複数の移動物体が検知されている場合は、基本的には、追尾撮影対象設定手段７６は撮影優先度が最も高い物体を追尾撮影対象に設定する。よって、図４（ｂ）の例では、種別が「人」である物体「ＩＤ１」，「ＩＤ３」よりも撮影優先度が高い種別「車」である物体「ＩＤ２」を追尾撮影対象に設定する。
【００６７】
一方、図４（ｃ）の例では、物体「ＩＤ２」及び「ＩＤ４」が「車」である。このように撮影優先度の最高値を有する物体が複数存在する場合は、他の判断基準を併用して追尾撮影対象を決める構成とすることができる。例えば、追尾撮影対象設定手段７６は、上述した、撮影対象可能性、先優先、後優先、移動優先等により追尾撮影対象を設定する。
【００６８】
図５は、種別に関する撮影優先度を基本の判断基準としつつ、撮影対象可能性を補助的な判断基準として併用する場合の例であり、検知物体の物体ＩＤと種別及び撮影対象可能性とを対応付けて表形式で示している。ここでは、撮影対象可能性は０〜１００〔％〕の範囲で定義され、評価手段７４は検知物体ごとに、人らしさを表す撮影対象可能性と車らしさを表す撮影対象可能性を求める。図５において「人らしさ」、「車らしさ」の欄に示す数値がそれぞれ人らしさの撮影対象可能性、車らしさの撮影対象可能性である。
【００６９】
図５（ｃ）では図４（ｃ）で述べたように、撮影優先度だけでは追尾撮影対象を物体「ＩＤ２」と「ＩＤ４」のいずれかに決めることができない。この点、図４（ｃ）で述べたように撮影対象可能性を用いて、物体「ＩＤ２」と物体「ＩＤ４」とに優先順を設けることができ、具体的には、図５（ｃ）の例において、追尾撮影対象設定手段７６は撮影対象可能性のうち「車らしさ」を物体「ＩＤ２」と物体「ＩＤ４」とで比較して、その値がより高い物体「ＩＤ２」を追尾撮影対象に設定する。
【００７０】
なお、図５（ａ）に示す検知物体が１つの場合は、図４（ａ）の場合と同様、選別の必要がないので、撮影優先度及び撮影対象可能性にかかわらず、物体「ＩＤ１」が追尾撮影対象に設定される。
【００７１】
また、図５（ｂ）の場合は、撮影優先度だけで１つの物体、つまり図４（ｂ）と同様、物体「ＩＤ２」を追尾撮影対象に設定できる。つまり、この場合、追尾撮影対象設定手段７６は撮影対象可能性は考慮せずに追尾撮影対象を設定する。なお、図５（ｂ）において、物体「ＩＤ２」は車両として検知されているが、「車らしさ」が所定値（例えば「３０」）以下なので、車両である可能性が低いとして撮影優先度に基づく追尾撮影対象の設定は行わず、撮影対象可能性に基づく追尾撮影対象の設定を行うことで物体「ＩＤ３」を追尾撮影するようにしてもよい。
【００７２】
上述した本発明を用いた監視装置２は、物体検知部５による検知物体について種別（人物や車両など）を判定し、検知物体が複数存在する場合には、種別ごとの撮影優先度に基づいて追尾撮影対象とする検知物体を定める。具体的には、その基本的な構成として、複数の検知物体について撮影優先度を比較して、最も撮影優先度の高い物体を追尾撮影対象に設定する。これにより、複数の物体を検知した場合に、例えば、それらの中から、より侵入者らしい物体を優先して追尾撮影することが可能になる。具体的には、上述したように、人の通行状況を監視したい場合に、人物の撮影優先度を高く設定することで、車両と人物を検知しても人物を優先して追尾撮影できる。
【００７３】
なお、本発明は上述の実施形態にのみ限定されるものではなく、本発明の要旨を逸脱しない範囲内において種々変更され得る。
【００７４】
例えば、評価手段７４は、移動物体に対する特徴量の評価に基づき移動物体が監視領域に侵入した侵入物体であるか否かを異常判定する機能を担う構成としてもよい。この場合、評価手段７４は、移動物体の大きさや形状等の指標が人物や車両を示す発報基準を満たすとき、侵入異常と判定して異常発生を監視センタ３へ通報するとともに、その移動物体を侵入物体としてトラッキング処理を行う。侵入物体の判定には、物体の大きさや形状といった追尾撮影の対象らしさを示す特徴量のほか、移動物体を最初に検知してからの経過時間、移動距離、移動軌跡（移動方向や移動ルート等）など各種の指標を用いてもよい。また、異常判定の機能は、評価手段７４とは別に設けられた異常判定手段が担う構成としてもよい。
【００７５】
そして、追尾撮影対象設定手段７６は、複数の移動物体のうち撮影優先度が高い移動物体を優先して追尾撮影対象に設定することを基本として、撮影優先度が高い移動物体が複数存在する場合に、それらの移動物体のうち侵入物体として異常判定された移動物体を追尾撮影対象に設定するようにしてもよい。
【００７６】
また、追尾撮影対象設定手段７６は、複数の移動物体のうち侵入物体と判定された移動物体を優先して追尾撮影対象に設定することを基本として、複数の移動物体のうち、侵入物体として異常判定された移動物体が複数存在する場合、または、侵入物体として異常判定されていない移動物体のみ存在する場合には、撮影優先度が高い移動物体を追尾撮影対象に設定するようにしてもよい。また、複数の移動物体のうち、侵入物体として異常判定された移動物体（ＩＤ１）と侵入物体として異常判定されていない移動物体（ＩＤ２）とが存在する場合には、撮影優先度によらず、すなわち、ＩＤ１の撮影優先度がＩＤ２の撮影優先度よりも低い場合であっても、ＩＤ１を追尾撮影対象に設定する。
【符号の説明】
【００７７】
１  監視システム、２  監視装置、３  監視センタ、４  監視領域、５  物体検知部、６  撮像部、７  制御部、５１，６３，７１  通信手段、５２，６４，７２  記憶手段、５３  検知手段、５４  追跡手段、５５  制御手段、６１  カメラ駆動手段、６２  撮像手段、７３  カメラ制御手段、７４  評価手段、７５  種別判定手段、７６  追尾撮影対象設定手段。
【図１】
2019180025.tif 000003
【図２】
2019180025.tif 000004
【図３】
2019180025.tif 000005
【図４】
2019180025.tif 000006
【図５】
2019180025.tif 000007